【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
機能を、入出力インタフェースを用いて実現するソフトウェア部品であるアプリケーションと、
該アプリケーションに該入出力インタフェースを提供すると共に、変更が不要な機能を提供するアクセスネットワーク装置の基盤的構成要素と、
自装置又はアプリケーション又は予め定めた所定の種類のアプリケーション又はその組み合わせが動作するに際して利用されるリソースに関する所定の指標であるリソース指標に関し、自装置における機能の入替によって取り除かれる機能に関するリソース指標と前記機能の入替によって追加される機能に関するリソースの指標との値と、自装置に追加される機能に関するリソース指標の値との少なくともいずれか、に基づいて、使用されるリソースの値又はその統計処理した値が所定の値を超過する場合には、自装置に対する前記機能の入替又は追加を制限し、使用されるリソースの値又はその統計処理した値が所定の値を超過しない場合には、自装置に対する前記機能の入替又は追加を制限しない制限部と、
を備える通信装置。
【請求項２】
前記制限部は、その時点で自装置又はアプリケーション又は予め定めた所定の種類のアプリケーション又はその組み合わせにおいて使用可能なリソースの指標を示すリソース指標残量又はその統計処理した値を取得し、前記リソース指標残量値又はその統計処理した値に対し、前記機能の入替によって取り除かれる機能に関するリソース指標を加算し、前記機能の入替又は追加によって追加される機能に関するリソース指標を減算し、前記加算及び減算の結果得られる値が、予め定められている所定の値を超過しない場合には自装置に対する前記機能の入替又は追加を制限し、前記加算及び減算の結果得られる値が前記所定の値を超過する場合には、自装置に対する前記機能の入替又は追加を制限しない、
請求項１に記載の通信装置。
【請求項３】
前記制限部は、その時点で自装置又はアプリケーション又は予め定めた所定の種類のアプリケーション又はその組み合わせにおいて、入替される機能又は追加される機能に関係する機能に関するリソース指標の合計値であるリソース合計値を取得し、前記リソース合計値に対し、前記機能の入替によって取り除かれる機能に関するリソース指標を減算し、前記機能の入替又は追加によって追加される機能に関するリソース指標を加算し、前記減算及び加算の結果得られる値が、予め定められている所定の値を超過する場合には自装置に対する前記機能の入替又は追加を制限し、前記減算及び加算の結果得られる値が前記所定の値を超過しない場合には、自装置に対する前記機能の入替又は追加を制限しない、
請求項１に記載の通信装置。
【請求項４】
前記リソースは、前記機能の実現に要する処理能力、前記機能とのやり取りに係る帯域幅や帯域時間積、又はそれらの組み合わせである、
請求項１から３のいずれか一項に記載の通信装置。
【請求項５】
前記リソース指標は、前記機能の数、前記機能の処理のステップ数、前記機能のサイズ、前記機能を配置するメモリ量、前記機能を配置する論理回路量、前記機能に関連する演算部の処理量と、前記機能、前記機能を配置するメモリ、前記機能を配置する論理回路、前記機能に関連する演算部、バス又は通信路に対するアクセス頻度と、前記機能、前記機能を配置するメモリ、前記機能を配置する論理回路、前記機能に関連する演算部、バス又は通信路に対する入出力の使用帯域と、前記アプリケーションと前記基盤的構成要素との間、前記アプリケーション間、又はそれらの組み合わせにおけるやり取りのスケジュールの衝突確率と、ページングのページ数と、ページング頻度と、処理時間と、の一部又は全部である、
請求項１から３のいずれか一項に記載の通信装置。
【請求項６】
機能を、入出力インタフェースを用いて実現するソフトウェア部品であるアプリケーションと、該アプリケーションに該入出力インタフェースを提供すると共に、変更が不要な機能を提供するアクセスネットワーク装置の基盤的構成要素と、を備える通信装置が行う制御方法であって、
自装置又はアプリケーション又は予め定めた所定の種類のアプリケーション又はその組み合わせが動作するに際して利用されるリソースに関する所定の指標であるリソース指標に関し、自装置における機能の入替によって取り除かれる機能に関するリソース指標と前記機能の入替によって追加される機能に関するリソースの指標との値と、自装置に追加される機能に関するリソース指標の値との少なくともいずれか、に基づいて、使用されるリソースの値又はその統計処理した値が所定の値を超過する場合には、自装置に対する前記機能の入替又は追加を制限し、使用されるリソースの値又はその統計処理した値が所定の値を超過しない場合には、自装置に対する前記機能の入替又は追加を制限しない制御ステップ、
を有する制御方法。
【請求項７】
コンピュータを、請求項１に記載の通信装置に備わる各機能部として機能させるための制御プログラム。
【手続補正２】
【補正対象書類名】明細書
【補正対象項目名】０００６
【補正方法】変更
【補正の内容】
【０００６】
本発明の一態様は、機能を、入出力インタフェースを用いて実現するソフトウェア部品であるアプリケーションと、該アプリケーションに該入出力インタフェースを提供すると共に、変更が不要な機能を提供するアクセスネットワーク装置の基盤的構成要素と、自装置又はアプリケーション又は予め定めた所定の種類のアプリケーション又はその組み合わせが動作するに際して利用されるリソースに関する所定の指標であるリソース指標に関し、自装置における機能の入替によって取り除かれる機能に関するリソース指標と前記機能の入替によって追加される機能に関するリソースの指標との値と、自装置に追加される機能に関するリソース指標の値との少なくともいずれか、に基づいて、使用されるリソースの値又はその統計処理した値が所定の値を超過する場合には、自装置に対する前記機能の入替又は追加を制限し、使用されるリソースの値又はその統計処理した値が所定の値を超過しない場合には、自装置に対する前記機能の入替又は追加を制限しない制限部と、を備える通信装置である。
【手続補正３】
【補正対象書類名】明細書
【補正対象項目名】０００７
【補正方法】変更
【補正の内容】
【０００７】
本発明の一態様は、上記の通信装置であって、前記制限部は、その時点で自装置又はアプリケーション又は予め定めた所定の種類のアプリケーション又はその組み合わせにおいて使用可能なリソースの指標を示すリソース指標残量又はその統計処理した値を取得し、前記リソース指標残量値又はその統計処理した値に対し、前記機能の入替によって取り除かれる機能に関するリソース指標を加算し、前記機能の入替又は追加によって追加される機能に関するリソース指標を減算し、前記加算及び減算の結果得られる値が、予め定められている所定の値を超過しない場合には自装置に対する前記機能の入替又は追加を制限し、前記加算及び減算の結果得られる値が前記所定の値を超過する場合には、自装置に対する前記機能の入替又は追加を制限しない。
【手続補正４】
【補正対象書類名】明細書
【補正対象項目名】０００８
【補正方法】変更
【補正の内容】
【０００８】
本発明の一態様は、上記の通信装置であって、前記制限部は、その時点で自装置又はアプリケーション又は予め定めた所定の種類のアプリケーション又はその組み合わせにおいて、入替される機能又は追加される機能に関係する機能に関するリソース指標の合計値であるリソース合計値を取得し、前記リソース合計値に対し、前記機能の入替によって取り除かれる機能に関するリソース指標を減算し、前記機能の入替又は追加によって追加される機能に関するリソース指標を加算し、前記減算及び加算の結果得られる値が、予め定められている所定の値を超過する場合には自装置に対する前記機能の入替又は追加を制限し、前記減算及び加算の結果得られる値が前記所定の値を超過しない場合には、自装置に対する前記機能の入替又は追加を制限しない。
本発明の一態様は、上記の通信装置であって、前記リソースは、前記機能の実現に要する処理能力、前記機能とのやり取りに係る帯域幅や帯域時間積、又はそれらの組み合わせである。
本発明の一態様は、上記の通信装置であって、前記リソース指標は、前記機能の数、前記機能の処理のステップ数、前記機能のサイズ、前記機能を配置するメモリ量、前記機能を配置する論理回路量、前記機能に関連する演算部の処理量と、前記機能、前記機能を配置するメモリ、前記機能を配置する論理回路、前記機能に関連する演算部、バス又は通信路に対するアクセス頻度と、前記機能、前記機能を配置するメモリ、前記機能を配置する論理回路、前記機能に関連する演算部、バス又は通信路に対する入出力の使用帯域と、前記アプリケーションと前記基盤的構成要素との間、前記アプリケーション間、又はそれらの組み合わせにおけるやり取りのスケジュールの衝突確率と、ページングのページ数と、ページング頻度と、処理時間と、の一部又は全部である。
【手続補正５】
【補正対象書類名】明細書
【補正対象項目名】０００９
【補正方法】変更
【補正の内容】
【０００９】
本発明の一態様は、機能を、入出力インタフェースを用いて実現するソフトウェア部品であるアプリケーションと、該アプリケーションに該入出力インタフェースを提供すると共に、変更が不要な機能を提供するアクセスネットワーク装置の基盤的構成要素と、を備える通信装置が行う制御方法であって、自装置又はアプリケーション又は予め定めた所定の種類のアプリケーション又はその組み合わせが動作するに際して利用されるリソースに関する所定の指標であるリソース指標に関し、自装置における機能の入替によって取り除かれる機能に関するリソース指標と前記機能の入替によって追加される機能に関するリソースの指標との値と、自装置に追加される機能に関するリソース指標の値との少なくともいずれか、に基づいて、使用されるリソースの値又はその統計処理した値が所定の値を超過する場合には、自装置に対する前記機能の入替又は追加を制限し、使用されるリソースの値又はその統計処理した値が所定の値を超過しない場合には、自装置に対する前記機能の入替又は追加を制限しない制御ステップ、を有する制御方法である。